【手続補正書】
【提出日】平成19年10月11日(2007.10.11)
【手続補正１】
【補正対象書類名】明細書
【補正対象項目名】特許請求の範囲
【補正方法】変更
【補正の内容】
【特許請求の範囲】
【請求項１】  基部と該基部の上側に結合された頂部とを含むハウジングであって、前記基部がその側部に入り口を含むとともに、該入り口が前記ハウジングの中に通じていて前記頂部の出口と連通しているハウジングと、
該ハウジングに配置されたモーターと、
前記ハウジングに配置され、前記入り口の中に空気を吸い込んで該空気を前記出口を通して出てゆかせるために前記モーターにより駆動可能な送風機アセンブリーと、
前記ハウジング内において前記入り口と前記出口との間に配置され、前記入り口に吸い込まれた空気を該空気が前記出口を通って出てゆく前に濾過するフィルターと、
を含むことを特徴とする自己保持形・ベンチトップ式の煙吸引及びフィルター装置。
【請求項２】  前記入り口の中に約４２−５０ＣＦＭの空気を吸い込んで前記フィルターを横断させるように構成され、前記フィルターは、２"Ｈ2Ｏの圧力降下を伴うＨＥＰＡ及び活性炭素ガス・フィルターであることを特徴とする請求項１に記載の装置。
【請求項３】  ０．５ｍで５３ｄＢ以下の音を生じさせることを特徴とする請求項２に記載の装置。
【請求項４】  前記装置の体積は１ｆｔ3未満であることを特徴とする請求項３に記載の装置。
【請求項５】  前記送風機アセンブリーの直径は約５．７５"であることを特徴とする請求項４に記載の装置。
【請求項６】  前記装置の体積は１ｆｔ3未満であることを特徴とする請求項２に記載の装置。
【請求項７】  前記モーターはＤＣモーターであることを特徴とする請求項１に記載の装置。
【請求項８】  前記送風機アセンブリーは２段送風機であることを特徴とする請求項７に記載の装置。
【請求項９】  基部と該基部の上側に結合された頂部とを含むハウジングであって、前記基部がその側部に入り口を含むとともに、該入り口が前記ハウジングの中に通じていて前記頂部の出口と連通しているハウジングと、
該ハウジングに配置されたモーターと、
前記ハウジングに配置され、前記入り口の中に空気を吸い込んで該空気を前記出口を通して出てゆかせるために前記モーターにより駆動可能な送風機アセンブリーと、
前記ハウジング内において前記入り口と前記出口との間に配置され、前記入り口に吸い込まれた空気を該空気が前記出口を通って出てゆく前に濾過するフィルターとを備え、
前記送風機アセンブリーは入り口羽根車と出口羽根車とを含む２段送風機であり、前記入り口羽根車は前記出口羽根車より前記入り口に近く、前記出口羽根車は前記入り口羽根車より前記出口に近いことを特徴とする煙吸引及びフィルター装置。
【請求項１０】  前記基部は前記頂部が取り付けられる上面を含み、該上面は前記基部の水平底面とゼロでない角度をなし、前記フィルターは、前記入り口から前記出口の方への空気流れ方向に延在する中心線を有すると共に、該中心線が前記底面への垂線と前記ゼロでない角度をなすように前記頂部に配置されることを特徴とする請求項１に記載の装置。
【請求項１１】  前記入り口は前記基部の水平な底面まで延びていることを特徴とする請求項１に記載の装置。
【請求項１２】  基部と該基部の上側に結合された頂部とを含むハウジングであって、前記基部がその側部に入り口を含むとともに、該入り口が前記ハウジングの中に通じていて前記頂部の出口と連通しているハウジングと、該ハウジングに配置されたモーターと、前記ハウジングに配置され、前記入り口の中に空気を吸い込んで該空気を前記出口を通して出てゆかせるために前記モーターにより駆動可能な送風機アセンブリーと、前記ハウジング内において前記入り口と前記出口との間に配置され、前記入り口に吸い込まれた空気を該空気が前記出口を通って出てゆく前に濾過するフィルターと、を含む煙吸引及びフィルター装置と、
前記基部に取り付け可能なダクト・アセンブリーと、
を含むことを特徴とする自己保持形・ベンチトップ式の煙吸引及びフィルター装置アセンブリー。
【請求項１３】  前記入り口は前記基部の水平な底面まで延びていることを特徴とする請求項１２に記載の装置。
【請求項１４】  基部と該基部の上側に結合された頂部とを含むハウジングであって、前記基部がその側部に入り口を含むとともに、該入り口が前記ハウジングの中に通じていて前記頂部の出口と連通しているハウジングと、該ハウジングに配置されたモーターと、前記ハウジングに配置され、空気を前記入り口の中に吸い込んで前記空気を前記出口を通して出てゆかせるために前記モーターにより駆動可能な送風機アセンブリーと、前記ハウジングにおいて前記入り口と前記出口との間に配置され、前記入り口に吸い込まれた空気を該空気が前記出口を通って出てゆく前に濾過するフィルターと、を含む煙吸引及びフィルター装置と、
前記基部に取り付け可能なダクト・アセンブリーとを備え、
前記入り口は前記基部の水平な底面まで延びており、前記ダクト・アセンブリーは該ダクト・アセンブリーを前記基部に取り付けるための取り付け部分を含み、該取り付け部分は、該取り付け部分が前記入り口内に完全に受け入れられるように前記基部が前記取り付け部分の上に垂直に下げられることにより、前記基部に取り付けられることを特徴とする煙吸引及びフィルター装置アセンブリー。
【請求項１５】  前記取り付け部分の大きさは、前記入り口の大きさに実質的に等しいことを特徴とする請求項１４に記載の装置。
【請求項１６】  前記ダクト・アセンブリーは、該ダクト・アセンブリーを前記基部に取り付けるための取り付け部分を含み、該取り付け部分にダクトが移動可能に取り付けられることを特徴とする請求項１３に記載の装置。
【請求項１７】  基部と該基部の上側に結合された頂部とを含むハウジングであって、前記基部がその側部に入り口を含むとともに、該入り口が前記ハウジングの中に通じていて前記頂部の出口と連通しているハウジングと、該ハウジングに配置されたモーターと、前記ハウジングに配置され、空気を前記入り口の中に吸い込んで前記空気を前記出口を通して出てゆかせるために前記モーターにより駆動可能な送風機アセンブリーと、前記ハウジングにおいて前記入り口と前記出口との間に配置され、前記入り口に吸い込まれた空気を該空気が前記出口を通って出てゆく前に濾過するフィルターと、を含む煙吸引及びフィルター装置と、
前記基部に取り付け可能なダクト・アセンブリーとを備え、
前記入り口は前記基部の水平な底面まで延びており、前記ダクト・アセンブリーは該ダクト・アセンブリーを前記基部に取り付けるための取り付け部分と該取り付け部分に移動可能に取り付けられたダクトとを含み、前記取り付け部分は、該取り付け部分が前記入り口内に完全に受け入れられるように前記基部が前記取り付け部分の上に垂直に下げられることにより、前記基部に取り付けられることを特徴とする煙吸引及びフィルター装置アセンブリー。
【請求項１８】  ハウジングであって、該ハウジングの開放した底の上方の位置から前記ハウジングの前記底まで延在する入り口開口部を有する側壁と、前記ハウジングの中に通じ該ハウジングの頂部付近の出口と連通する入り口とを含むハウジングと、
該ハウジングに配置されたモーターと、
前記ハウジングに配置され、空気を前記入り口の中に吸い込んで前記空気を前記出口を通して出てゆかせるために前記モーターにより駆動可能な送風機アセンブリーと、
前記ハウジングにおいて前記入り口と前記出口との間に配置され、前記入り口に吸い込まれた空気を該空気が前記出口を通って出てゆく前に濾過するフィルターと、
を備えることを特徴とする自己保持形・ベンチトップ式の煙吸引及びフィルター装置。
【請求項１９】  前記入り口の中に約４２−５０ＣＦＭの空気を吸い込み、２"Ｈ2Ｏの圧力降下を伴ってＨＥＰＡ及び活性炭素ガス・フィルターを横断させるように構成されており、１ｆｔ3未満の体積を有することを特徴とする請求項１８に記載の装置。
【請求項２０】  ０．５ｍで５３ｄＢ以下の音を生じさせることを特徴とする請求項１９に記載の装置。
【請求項２１】  前記フィルターを通る空気の流路は鉛直ではないことを特徴とする請求項１７に記載の装置。
【請求項２２】  側部に入り口を有するハウジングであって、前記入り口が前記ハウジングの中に通じていて該ハウジングの出口と連通しているハウジングと、
該ハウジングに配置されたモーターと、
前記ハウジングに配置され、少なくとも４２ＣＦＭの空気を前記入り口の中に吸い込んで前記空気を前記出口を通して出てゆかせるために前記モーターにより駆動可能な送風機アセンブリーと、
前記ハウジングにおいて前記入り口と前記出口との間に配置され、前記入り口に吸い込まれた空気を該空気が前記出口を通って出てゆく前に濾過するフィルターとを備え、
１ｆｔ3未満の体積を有することを特徴とする自己保持形・ベンチトップ式の煙吸引及びフィルター装置。
【請求項２３】  前記入り口が前記ハウジングの水平な底面まで延びていることを特徴とする請求項２２に記載の装置。
【請求項２４】  側部に入り口を有するハウジングであって、前記入り口が前記ハウジングの中に通じていて該ハウジングの出口と連通しているハウジングと、該ハウジングに配置されたモーターと、前記ハウジングに配置され、空気を前記入り口の中に吸い込んで前記空気を前記出口を通して出てゆかせるために前記モーターにより駆動可能な送風機アセンブリーと、前記ハウジングにおいて前記入り口と前記出口との間に配置され、前記入り口に吸い込まれた空気を該空気が前記出口を通って出てゆく前に濾過するフィルターと、を含む煙吸引及びフィルター装置と、
前記ハウジングの底部に取り付け可能なダクト・アセンブリーと、
を備えることを特徴とする自己保持形・ベンチトップ式の煙吸引及びフィルター装置アセンブリー。
【請求項２５】  前記入り口が前記ハウジングの水平な底面まで延びていることを特徴とする請求項２４に記載のアセンブリー。
【請求項２６】  前記ダクト・アセンブリーは、該ダクト・アセンブリーを前記基部に取り付けるための取り付け部分と、該取り付け部分に移動可能に取り付けられたダクトとを含むことを特徴とする請求項２４に記載のアセンブリー。
【請求項２７】  前記取り付け部分の大きさは、前記入り口の大きさに実質的に等しいことを特徴とする請求項２６に記載のアセンブリー。
【請求項２８】  前記取り付け部分は、該取り付け部分が前記入り口内に少なくとも一部が受け入れられるように前記ハウジングが前記取り付け部分の上に垂直に下げられることにより、前記ハウジングに取り付け可能であることを特徴とする請求項２６に記載のアセンブリー。
【請求項２９】  前記フィルターを通る空気の流路は鉛直ではないことを特徴とする請求項２４に記載のアセンブリー。
【請求項３０】  前記煙吸引及びフィルター装置が１ｆｔ3未満の体積を有することを特徴とする請求項２４に記載のアセンブリー。
【請求項３１】  前記煙吸引及びフィルター装置が少なくとも４２ＣＦＭの空気を前記入り口に吸い込むことを特徴とする請求項３０に記載のアセンブリー。